(57)【特許請求の範囲】
【請求項１】
互いに異なる第１の通信網及び第２の通信網に対して接続可能な通信端末に係る位置情報を提供する位置情報提供装置と、当該位置情報提供装置が提供する位置情報を前記第１の通信網又は前記第２の通信網から取得する位置情報管理装置とにより構成される測位システムであって、
前記位置情報提供装置は、
前記通信端末が前記第１の通信網に接続する場合に前記第１の通信網を特定する情報が含まれ、前記通信端末に係る位置情報の提供を要求するための位置情報提供要求を受信する位置情報提供要求受信手段と、
前記位置情報提供要求受信手段により受信された前記位置情報提供要求に前記第１の通信網を特定する情報が含まれるか判断し、前記第１の通信網を特定する情報が含まれる場合には、当該第１の通信網を特定する情報と前記通信端末を特定する情報とを含む情報を端末情報として前記位置情報管理装置へ送信し、前記第１の通信網を特定する情報が含まれない場合には、前記通信端末を特定する情報を当該端末情報として前記位置情報管理装置へ送信する端末情報送信手段と、
前記端末情報送信手段が前記位置情報管理装置へ前記端末情報を送信することによって前記位置情報管理装置から送信される前記通信端末の位置情報を前記位置情報提供要求の送信元へ送信する位置情報提供手段と、
を備え、
前記位置情報管理装置は、
前記通信端末が前記第１の通信網及び前記第２の通信網において接続可能な通信エリアを含む複数の通信エリアにより構成される位置登録エリアを特定する情報を、前記通信端末を特定する情報に対応付けて格納する在圏情報格納手段と、
前記位置情報提供装置から転送された前記端末情報を受信する端末情報受信手段と、
前記端末情報受信手段により取得された前記端末情報に、前記第１の通信網を特定する情報が含まれるか否かを判断し、前記第１の通信網を特定する情報が含まれている場合には、前記在圏情報格納手段により取得された前記第１の通信網の前記位置登録エリアに含まれる通信エリアに係る位置情報を前記第１の通信網から取得し、前記第１の通信網を特定する情報が含まれていない場合には、前記在圏情報格納手段により取得された前記第２の通信網の前記位置登録エリアに含まれる通信エリアに係る位置情報を前記第２の通信網から取得する位置情報取得手段と、
前記位置情報取得手段により取得された位置情報を、前記通信端末を特定する情報に対応付けて前記位置情報提供装置に対して送信する位置情報送信手段と、
を備えることを特徴とする測位システム。
【請求項２】
互いに異なる第１の通信網及び第２の通信網に対して接続可能な通信端末に係る位置情報を提供する位置情報提供装置と、当該位置情報提供装置が提供する位置情報を前記第１の通信網又は前記第２の通信網から取得する位置情報管理装置とにより構成される測位システムに含まれる位置情報提供装置であって、
前記通信端末が前記第１の通信網に接続する場合に前記第１の通信網を特定する情報が含まれ、前記通信端末に係る位置情報の提供を要求するための位置情報提供要求を受信する位置情報提供要求受信手段と、
前記位置情報提供要求受信手段により受信された前記位置情報提供要求に前記第１の通信網を特定する情報が含まれるか判断し、前記第１の通信網を特定する情報が含まれる場合には、当該第１の通信網を特定する情報と前記通信端末を特定する情報とを含む情報を端末情報として前記位置情報管理装置へ送信し、前記第１の通信網を特定する情報が含まれない場合には、前記通信端末を特定する情報を当該端末情報として前記位置情報管理装置へ送信する端末情報送信手段と、
前記端末情報送信手段が前記位置情報管理装置へ前記端末情報を送信することによって前記位置情報管理装置から送信される前記通信端末の位置情報を前記位置情報提供要求の送信元へ送信する位置情報提供手段と、
を備えることを特徴とする位置情報提供装置。
【請求項３】
互いに異なる第１の通信網及び第２の通信網に対して接続可能な通信端末に係る位置情報を提供する位置情報提供装置と、当該位置情報提供装置が提供する位置情報を前記第１の通信網又は前記第２の通信網から取得する位置情報管理装置とにより構成される測位システムに含まれる位置情報管理装置であって、
前記通信端末が前記第１の通信網及び前記第２の通信網において接続可能な通信エリアを特定する情報を、前記通信端末を特定する情報に対応付けて格納する在圏情報格納手段と、
前記位置情報提供装置から転送された前記通信端末を特定する情報を含む端末情報を受信する端末情報受信手段と、
前記端末情報受信手段により取得された前記端末情報に、前記第１の通信網を特定する情報が含まれるか否かを判断し、前記第１の通信網を特定する情報が含まれている場合には、前記在圏情報格納手段により取得された前記第１の通信網の前記位置登録エリアに含まれる通信エリアに係る位置情報を前記第１の通信網から取得し、前記第１の通信網を特定する情報が含まれていない場合には、前記在圏情報格納手段により取得された前記第２の通信網の前記位置登録エリアに含まれる通信エリアに係る位置情報を前記第２の通信網から取得する位置情報取得手段と、
前記位置情報取得手段により取得された位置情報を、前記通信端末を特定する情報に対応付けて前記位置情報提供装置に対して送信する位置情報送信手段と、
を備えることを特徴とする位置情報管理装置。
【請求項４】
互いに異なる第１の通信網及び第２の通信網に対して接続可能な通信端末に係る位置情報を提供する位置情報提供装置と、前記通信端末が前記第１の通信網及び前記第２の通信網において在圏する通信エリアを特定する情報を、前記通信端末を特定する情報に対応付けて格納する在圏情報格納手段を備え、当該位置情報提供装置が提供する位置情報を前記第１の通信網又は前記第２の通信網から取得する位置情報管理装置とにより構成される測位システムによる測位方法であって、
前記位置情報提供装置の位置情報提供要求受信手段により、前記通信端末が前記第１の通信網に接続する場合に前記第１の通信網を特定する情報が含まれ、前記通信端末に係る位置情報の提供を要求するための位置情報提供要求を受信する位置情報提供要求受信ステップと、
前記位置情報提供装置の端末情報送信手段により、前記位置情報提供要求受信ステップにおいて受信された前記位置情報提供要求に前記第１の通信網を特定する情報が含まれるか判断し、前記第１の通信網を特定する情報が含まれる場合には、当該第１の通信網を特定する情報と前記通信端末を特定する情報とを含む情報を端末情報として前記位置情報管理装置へ送信し、前記第１の通信網を特定する情報が含まれない場合には、前記通信端末を特定する情報を当該端末情報として前記位置情報管理装置へ送信する端末情報送信ステップと、
前記位置情報提供装置の位置情報提供手段により、前記端末情報送信ステップにおいて前記位置情報管理装置へ前記端末情報を送信することによって前記位置情報管理装置から送信される前記通信端末の位置情報を前記位置情報提供要求の送信元へ送信する位置情報提供ステップと、
前記位置情報管理装置の端末情報受信手段により、前記位置情報提供装置から転送された前記端末情報を受信する端末情報受信ステップと、
前記位置情報管理装置の位置情報取得手段により、前記端末情報受信ステップにおいて取得された前記端末情報に、前記第１の通信網を特定する情報が含まれるか否かを判断し、前記第１の通信網を特定する情報が含まれている場合には、前記在圏情報格納手段により取得された前記第１の通信網の前記位置登録エリアに含まれる通信エリアに係る位置情報を前記第１の通信網から取得し、前記第１の通信網を特定する情報が含まれていない場合には、前記在圏情報格納手段により取得された前記第２の通信網の前記位置登録エリアに含まれる通信エリアに係る位置情報を前記第２の通信網から取得する位置情報取得ステップと、
前記位置情報管理装置の位置情報送信手段により、前記位置情報取得ステップにより取得された位置情報を、前記通信端末を特定する情報に対応付けて前記位置情報提供装置に対して送信する位置情報送信ステップと、
を備えることを特徴とする測位方法。
【発明の詳細な説明】
【技術分野】
【０００１】
本発明は、通信端末による測位を支援する測位システム及びこの測位システムに含まれる位置情報提供装置、位置情報管理装置、そしてこの測位システムによる測位方法に関する。
【背景技術】
【０００２】
３ＧＰＰ（ThirdGeneration Partnership Project）によって標準化された通信方式（以下、３Ｇ方式）において、携帯電話等の通信端末を用いた測位が一般的に行われている。通信端末による測位方法としては、ＧＰＳ衛星からの電波のみを受信して測位する単独測位方式では測位時間の長期化及び通信端末における消費電力の増大等が懸念される。このため、ＧＰＳ衛星の位置等の捕捉情報（アシストデータ）を測位支援サーバから通信端末に対して送信することにより測位時間の短縮を図るネットワークアシスト方式が採用されている（例えば、特許文献１参照）。
【先行技術文献】
【特許文献】
【０００３】
【特許文献１】特開２００８−１７５８２４号公報
【発明の概要】
【発明が解決しようとする課題】
【０００４】
近年、３Ｇ方式に対して、新しい通信方式であるＬＴＥ（Long Term Evolution）が提案されている。ＬＴＥを利用する通信端末が３Ｇ方式を利用することも可能な仕様とした場合、この通信端末は２種類の通信方式を併用できる。また、３Ｇ方式とＬＴＥとが併用される通信端末に関しては、３Ｇ方式において通信端末が在圏する通信エリアを管轄する交換機に係る情報と、ＬＴＥ方式において通信端末が在圏する通信エリアを管轄する交換機に係る情報と、が加入者情報データベースに格納されることとなる。
【０００５】
しかしながら、通信端末が実際にどちらの通信方式を利用して通信接続を行っているかに係る情報は、加入者情報データベースにおいて保持されない。このため、通信端末に係る測位要求を受信した測位支援装置は、測位結果を送信するためには、２種類の通信方式における交換機の双方に対して通信端末が通信接続を行っているかを問い合わせることで通信端末が通信を行っている通信エリアを特定する必要がある。このように、複数の通信方式で通信可能な通信端末に対しての測位支援を行う場合、測位支援装置による通信量が増加してしまう。また、測位支援装置による測位結果の送信のための通信量が増加することにより、測位結果の送信が遅延する可能性がある。
【０００６】
本発明は上記を鑑みてなされたものであり、複数の通信網を利用可能な通信端末に係る測位支援をより効率的に行うことが可能な測位システム及びこの測位システムに含まれる位置情報提供装置、位置情報管理装置、そしてこの測位システムによる測位方法を提供することを目的とする。
【課題を解決するための手段】
【０００７】
上記目的を達成するため、本発明に係る測位システムは、互いに異なる第１の通信網及び第２の通信網に対して接続可能な通信端末に係る位置情報を提供する位置情報提供装置と、当該位置情報提供装置が提供する位置情報を前記第１の通信網又は前記第２の通信網から取得する位置情報管理装置とにより構成される測位システムであって、前記位置情報提供装置は、前記通信端末が前記第１の通信網に接続する場合に前記第１の通信網を特定する情報が含まれ、前記通信端末に係る位置情報の提供を要求するための位置情報提供要求を受信する位置情報提供要求受信手段と、前記位置情報提供要求受信手段により受信された前記位置情報提供要求に前記第１の通信網を特定する情報が含まれるか判断し、前記第１の通信網を特定する情報が含まれる場合には、当該第１の通信網を特定する情報と前記通信端末を特定する情報とを含む情報を端末情報として前記位置情報管理装置へ送信し、前記第１の通信網を特定する情報が含まれない場合には、前記通信端末を特定する情報を当該端末情報として前記位置情報管理装置へ送信する端末情報送信手段と、前記端末情報送信手段が前記位置情報管理装置へ前記端末情報を送信することによって前記位置情報管理装置から送信される前記通信端末の位置情報を前記位置情報提供要求の送信元へ送信する位置情報提供手段と、を備え、前記位置情報管理装置は、前記通信端末が前記第１の通信網及び前記第２の通信網において接続可能な通信エリアを特定する情報を、前記通信端末を特定する情報に対応付けて格納する在圏情報格納手段と、前記位置情報提供装置から転送された前記端末情報を受信する端末情報受信手段と、前記端末情報受信手段により取得された前記端末情報に、前記第１の通信網を特定する情報が含まれるか否かを判断し、前記第１の通信網を特定する情報が含まれている場合には、前記在圏情報格納手段により取得された前記第１の通信網の前記位置登録エリアに含まれる通信エリアに係る位置情報を前記第１の通信網から取得し、前記第１の通信網を特定する情報が含まれていない場合には、前記在圏情報格納手段により取得された前記第２の通信網の前記位置登録エリアに含まれる通信エリアに係る位置情報を前記第２の通信網から取得する位置情報取得手段と、前記位置情報取得手段により取得された位置情報を、前記通信端末を特定する情報に対応付けて前記位置情報提供装置に対して送信する位置情報送信手段と、を備えることを特徴とする。
【０００８】
また、本発明に係る測位システムに含まれる位置情報提供装置は、互いに異なる第１の通信網及び第２の通信網に対して接続可能な通信端末に係る位置情報を提供する位置情報提供装置と、当該位置情報提供装置が提供する位置情報を前記第１の通信網又は前記第２の通信網から取得する位置情報管理装置とにより構成される測位システムに含まれる位置情報提供装置であって、前記通信端末が前記第１の通信網に接続する場合に前記第１の通信網を特定する情報が含まれ、前記通信端末に係る位置情報の提供を要求するための位置情報提供要求を受信する位置情報提供要求受信手段と、前記位置情報提供要求受信手段により受信された前記位置情報提供要求に前記第１の通信網を特定する情報が含まれるか判断し、前記第１の通信網を特定する情報が含まれる場合には、当該第１の通信網を特定する情報と前記通信端末を特定する情報とを含む情報を端末情報として前記位置情報管理装置へ送信し、前記第１の通信網を特定する情報が含まれない場合には、前記通信端末を特定する情報を当該端末情報として前記位置情報管理装置へ送信する端末情報送信手段と、前記端末情報送信手段が前記位置情報管理装置へ前記端末情報を送信することによって前記位置情報管理装置から送信される前記通信端末の位置情報を前記位置情報提供要求の送信元へ送信する位置情報提供手段と、を備えることを特徴とする。
【０００９】
また、本発明に係る測位システムに含まれる位置情報管理装置は、互いに異なる第１の通信網及び第２の通信網に対して接続可能な通信端末に係る位置情報を提供する位置情報提供装置と、当該位置情報提供装置が提供する位置情報を前記第１の通信網又は前記第２の通信網から取得する位置情報管理装置とにより構成される測位システムに含まれる位置情報管理装置であって、前記通信端末が前記第１の通信網及び前記第２の通信網において接続可能な通信エリアを特定する情報を、前記通信端末を特定する情報に対応付けて格納する在圏情報格納手段と、前記位置情報提供装置から転送された前記通信端末を特定する情報を含む端末情報を受信する端末情報受信手段と、前記端末情報受信手段により取得された前記端末情報に、前記第１の通信網を特定する情報が含まれるか否かを判断し、前記第１の通信網を特定する情報が含まれている場合には、前記在圏情報格納手段により取得された前記第１の通信網の前記位置登録エリアに含まれる通信エリアに係る位置情報を前記第１の通信網から取得し、前記第１の通信網を特定する情報が含まれていない場合には、前記在圏情報格納手段により取得された前記第２の通信網の前記位置登録エリアに含まれる通信エリアに係る位置情報を前記第２の通信網から取得する位置情報取得手段と、前記位置情報取得手段により取得された位置情報を、前記通信端末を特定する情報に対応付けて前記位置情報提供装置に対して送信する位置情報送信手段と、を備えることを特徴とする。
【００１０】
本発明に係る測位システム、そして測位システムに含まれる位置情報提供装置及び位置情報管理装置によれば、位置情報提供装置において、通信端末からの位置情報提供要求に第１の通信網を特定する情報が含まれているかに基づいて、通信端末が第１の通信網に接続しているか否かが判断される。そしてその結果が位置情報提供装置から位置情報管理装置に対して送信され、位置情報管理装置においては、位置情報提供装置から通知された通信端末の接続先を示す情報に基づいて、通信端末が接続する通信網が第１の通信網であるか第２の通信網であるかが判断される。この判断の結果に基づき、接続していると判断された通信網における通信端末が接続可能な通信エリアの位置情報を、位置登録エリアを特定する情報に基づいて取得し、その結果が位置情報管理装置から位置情報提供装置を介して、通信端末に通知される。このように、位置情報を取得する前に通信端末が接続する通信網を特定する処理を行うことで、通信端末が接続していない通信網に対して位置情報の問い合わせを行うことを抑制できるため、複数の通信網を利用可能な通信端末に係る測位支援をより効率的に行うことが可能となる。
【００１１】
なお、本発明は、上記のように測位システムの発明として記述できる他に、以下のように測位方法の発明としても記述することができる。これはカテゴリが異なるだけで、実質的に同一の発明であり、同様の作用及び効果を奏する。
【００１２】
すなわち、本発明に係る測位方法は、互いに異なる第１の通信網及び第２の通信網に対して接続可能な通信端末に係る位置情報を提供する位置情報提供装置と、前記通信端末が前記第１の通信網及び前記第２の通信網において在圏する通信エリアを特定する情報を、前記通信端末を特定する情報に対応付けて格納する在圏情報格納手段を備え、当該位置情報提供装置が提供する位置情報を前記第１の通信網又は前記第２の通信網から取得する位置情報管理装置とにより構成される測位システムによる測位方法であって、前記位置情報提供装置の位置情報提供要求受信手段により、前記通信端末が前記第１の通信網に接続する場合に前記第１の通信網を特定する情報が含まれ、前記通信端末に係る位置情報の提供を要求するための位置情報提供要求を受信する位置情報提供要求受信ステップと、前記位置情報提供装置の端末情報送信手段により、前記位置情報提供要求受信ステップにおいて受信された前記位置情報提供要求に前記第１の通信網を特定する情報が含まれるか判断し、前記第１の通信網を特定する情報が含まれる場合には、当該第１の通信網を特定する情報と前記通信端末を特定する情報とを含む情報を端末情報として前記位置情報管理装置へ送信し、前記第１の通信網を特定する情報が含まれない場合には、前記通信端末を特定する情報を当該端末情報として前記位置情報管理装置へ送信する端末情報送信ステップと、前記位置情報提供装置の位置情報提供手段により、前記端末情報送信ステップにおいて前記位置情報管理装置へ前記端末情報を送信することによって前記位置情報管理装置から送信される前記通信端末の位置情報を前記位置情報提供要求の送信元へ送信する位置情報提供ステップと、前記位置情報管理装置の端末情報受信手段により、前記位置情報提供装置から転送された前記端末情報を受信する端末情報受信ステップと、前記位置情報管理装置の位置情報取得手段により、前記端末情報受信ステップにおいて取得された前記端末情報に、前記第１の通信網を特定する情報が含まれるか否かを判断し、前記第１の通信網を特定する情報が含まれている場合には、前記在圏情報格納手段により取得された前記第１の通信網の前記位置登録エリアに含まれる通信エリアに係る位置情報を前記第１の通信網から取得し、前記第１の通信網を特定する情報が含まれていない場合には、前記在圏情報格納手段により取得された前記第２の通信網の前記位置登録エリアに含まれる通信エリアに係る位置情報を前記第２の通信網から取得する位置情報取得ステップと、前記位置情報管理装置の位置情報送信手段により、前記位置情報取得ステップにより取得された位置情報を、前記通信端末を特定する情報に対応付けて前記位置情報提供装置に対して送信する位置情報送信ステップと、を備えることを特徴とする。
【発明の効果】
【００１３】
本発明によれば、複数の通信網を利用可能な通信端末に係る測位支援をより効率的に行うことが可能な測位システム及びこの測位システムに含まれる位置情報提供装置、位置情報管理装置、そしてこの測位システムによる測位方法が提供される。
【図面の簡単な説明】
【００１４】
【図１】本発明の好適な実施形態に係る通信システムの構成を説明するブロック図である。
【図２】測位システムに含まれる各装置のハードウェア構成を示す図である。
【図３】通信端末のハードウェア構成を示す図である。
【図４】ＨＬＲに格納される位置登録情報の例である。
【図５】通信端末が位置登録する際の処理を説明するシーケンス図である。
【図６】通信端末に係る測位情報を提供するための処理を説明するシーケンス図である。
【図７】通信端末に係る測位情報を提供するためにＳＵＰＬサーバで行われる処理を説明するフローチャートである。
【図８】通信端末に係る測位情報を提供するために位置情報管理装置で行われる処理を説明するシーケンス図である。
【発明を実施するための形態】
【００１５】
＜測位システムの構成＞
図１は、本発明の好適な実施形態に係る通信システム１の構成を説明するブロック図である。通信システム１は、測位システム１０を構成するＳＵＰＬ（Secure User Plane Location）サーバ２０（位置情報提供装置）及び位置情報管理装置３０と、交換機＃Ａ４０と、交換機＃Ｂ５０と、基地局装置＃Ａ４１と、基地局装置＃Ｂ５１と、通信端末６０と、を含んで構成される。このうち、ＳＵＰＬサーバ２０及び位置情報管理装置３０により構成される測位システム１０は、通信端末６０による測位演算を支援する装置である。また、交換機＃Ａ４０及び基地局装置＃Ａ４１は、第１の通信網であるＬＴＥ通信網を構成する装置であって、交換機＃Ａ４０は複数の基地局装置の上流に位置する装置であり、基地局装置＃Ａ４１は交換機＃Ａ４０の配下に設けられ、ＬＴＥ通信網においてセルＣ１を形成するための装置である。また、交換機＃Ｂ５０及び基地局装置＃Ｂ５１は、第２の通信網である３Ｇ通信網を構成する装置であって、交換機＃Ｂ５０は複数の基地局装置の上流に位置する装置であり、基地局装置＃Ｂ５１は交換機＃Ｂ５０の配下に設けられ、３Ｇ通信網においてセルＣ２を形成するための装置である。ＬＴＥ通信網を構成するための装置及び３Ｇ通信網を構成するための装置は、上記交換機＃Ａ，＃Ｂ、基地局装置＃Ａ，＃Ｂのほかにもあるが、本実施形態では記載を省略する。
【００１６】
ここで、本実施形態において通信端末６０が行う測位方法について説明する。本実施形態において通信端末６０が行う測位方法とは、ネットワークアシスト方式によるＧＰＳ（Global  Positioning  System）測位（アシストＧＰＳ測位）である。ＧＰＳ測位とは、上空の３つ以上のＧＰＳ衛星からの信号を受信することにより、ＧＰＳ衛星の位置情報に基づいて受信端末（通信端末６０）の位置（具体的には、緯度、経度及び高度）を割り出す方法であるが、これを行うためには通信端末６０によりＧＰＳ衛星を捕捉する必要があり、この処理に一定時間を要する。このため、本実施形態に係るネットワークアシスト方式によるＧＰＳ測位では、ＧＰＳ衛星の位置及び通信端末６０の概位置（初期位置）情報等の情報（アシストデータ）を測位システム１０から通信端末に対して送信することにより、通信端末６０によるＧＰＳ衛星の捕捉に係る処理及び測位時間の短縮が図られている。本実施形態では、通信端末６０が測位システム１０に対してアシストデータの提供を要求することにより通信端末６０の概位置を示す情報及び通信端末６０が信号を受信することができるＧＰＳ衛星の位置情報を測位システム１０から受信することにより、通信端末６０でＧＰＳ測位が行われ、通信端末６０の位置が求められる。
【００１７】
測位システム１０から通信端末６０に対して送られるアシストデータのうち、ＧＰＳ衛星の位置情報については、測位システム１０においてＧＰＳ衛星の起動情報を管理しているアシストデータプロバイダ（図示せず）から取得された情報が用いられる。一方、通信端末６０の概位置情報としては、通信端末６０が在圏するセル（通信エリア）に対して電波を送信する基地局装置の位置情報が用いられる。これは、基地局装置の位置は予め定められているため、当該基地局装置の位置情報を測位システム１０において予め格納することができ、通信端末６０が在圏するセルを特定する情報が通信端末６０から送信された場合に、当該情報に基づいて通信端末６０に対して送信することができるからである。ここでいう基地局装置の位置情報には、基地局装置の緯度情報、経度情報、高度、及び誤差半径が含まれる。
【００１８】
また、本実施形態で用いられるＳＵＰＬとは、ＯＭＡ（Open Mobile Alliance）で規定されているものであり、通信端末６０と通信網との間でアシストデータを送信するための通信ベアラとして、Ｕ-Ｐｌａｎｅ（User Plane）を利用したアシストＧＰＳ測位方式のことを言う。
【００１９】
上記の通信システム１に含まれる各装置について説明する。まず通信システム１に含まれる測位システム１０を構成するＳＵＰＬサーバ２０は、測位システム１０の主要機能を有する装置であり、通信端末６０に対して送信するアシストデータを格納し、通信端末６０からの要求に基づいて、アシストデータを通信端末６０に対して送信する機能を有する。
【００２０】
ＳＵＰＬサーバ２０と同様に測位システム１０を構成する位置情報管理装置３０は、通信端末６０と測位に係る通信を行うための認証処理を行う機能を有すると共に、３Ｇ通信網及びＬＴＥ通信網において位置情報に係るデータを管理するＧＭＬＣ（Gateway Mobile Location Centre）及びＨＳＳ（HomeSubscriber Server）の機能を有し、例えばＥＢＳＣＰ（External Businessuser Service Control Point）及びＩＰＳＣＰ（IP Service ControlPoint）として実現される。本実施形態では、ＥＢＳＣＰとしての機能とＩＰＳＣＰとしての機能の双方を有する位置情報管理装置として説明するが、これらは別体から成ってもよい。位置情報管理装置３０は、具体的には、３Ｇ通信網及びＬＴＥ通信網における通信端末６０の位置登録履歴等を格納し、必要に応じて当該データをＳＵＰＬサーバ２０に対して送信する。本実施形態に係る詳細な処理については後述する。
【００２１】
通信端末６０は、ユーザにより用いられ、具体的には、例えば、携帯電話、ＰＤＡ（Personal Digital Assistance）等の通信機能を有する装置として実現される。また、本実施形態に係る通信端末６０は、測位システム１０からのアシストデータを利用したＧＰＳ測位を行う機能を有すると共に、上記の３Ｇ通信網とＬＴＥ通信網の双方に対して接続する機能を有する端末である。通信端末６０がＬＴＥ通信網のセルＣ１において位置登録をした場合、位置登録に係る情報（どの交換機の配下にある基地局に在圏したかを示す位置登録エリアを示す情報）は交換機＃Ａ４０を介して位置情報管理装置３０に登録される。また、通信端末６０が３Ｇ通信網のセルＣ２において在圏し位置登録をした場合にも、位置登録に係る情報は交換機＃Ｂ５０を介して位置情報管理装置３０に登録される。
【００２２】
なお、通信端末６０は、双方の通信網を介して同時に通信を行うことはできない。したがって、通信端末６０が実際に通信を行う通信網は１つのみである。また、３Ｇ通信網とＬＴＥ通信網との間で通信する通信網を切り替えた場合であっても、各々の通信網において在圏するセルが変更されていない場合には、位置情報管理装置３０において保持される位置登録情報の更新は行われない。具体的には、図１に示すように、交換機＃Ｂ５０の配下にある３Ｇ通信網のセルＣ２に在圏する通信端末６０が移動し、交換機＃Ａ４０の配下にあるＬＴＥ通信網のセルＣ１に在圏した場合にはこのセルＣ１に係る情報は位置情報管理装置３０に登録される。ただし、３Ｇ通信網において通信端末６０が在圏する（した）セルＣ２は変更していないので、位置情報管理装置３０ではセルＣ２に係る情報の更新は行われない。また、図１に示す移動後の通信端末６０は、３Ｇ通信網を介した接続通信とＬＴＥ通信網を介した接続通信との双方を行うことができるが、どちらの通信網を介して接続通信を行っているかは、位置情報管理装置３０は把握することができない状態である。
【００２３】
また、同じ交換機（例えば、交換機＃Ａ４０、交換機＃Ｂ５０）の配下にある通信エリア間を通信端末６０が移動した場合、例えば基地局装置＃Ｂ５１によるセルＣ２から、同じ交換機＃Ｂ５０の配下にある他の基地局装置によるセルへ移動した場合等が考えられるが、この場合には、接続する基地局装置が変更されたという情報は、位置情報管理装置３３には通知されない。これは、ＬＴＥ通信網と３Ｇ通信網との間で通信端末６０が接続先を変更する際の位置登録信号削減を目的としたものとして規定されたものである（ＩＳＲ：Idle mode Signaling Reduction）。
【００２４】
上記の通信システム１に含まれるＳＵＰＬサーバ２０、位置情報管理装置３０、交換機＃Ａ４０、及び、交換機＃Ｂ５０は、それぞれ、図２に示すように、ＣＰＵ１０１、主記憶装置であるＲＡＭ（Random Access Memory）１０２及びＲＯＭ（Read OnlyMemory）１０３、通信を行うための通信モジュール１０４、並びにハードディスク等の補助記憶装置１０５等のハードウェアを備えるコンピュータとして構成される。そして、これらの構成要素が動作することにより、各装置の機能が発揮される。また、通信端末６０は、図３に示すように、ＣＰＵ（Central Processing Unit）６０１、ＲＡＭ６０２、ＲＯＭ６０３、操作部６０４、無線通信部６０５、ディスプレイ６０６、及びアンテナ６０７等のハードウェアにより構成される。そしてこれらの構成要素が動作することにより、通信端末６０の機能が発揮される。
【００２５】
なお、ＳＵＰＬサーバ２０と位置情報管理装置３０との間、ＳＵＰＬサーバ２０と交換機＃Ａ４０との間、ＳＵＰＬサーバ２０と交換機＃Ｂ５０との間、位置情報管理装置３０と交換機＃Ａ４０との間、位置情報管理装置３０と交換機＃Ｂ５０との間、交換機＃Ａ４０と基地局装置＃Ａ４１との間、及び、交換機＃Ｂ５０と基地局装置＃Ｂ５１との間はそれぞれ有線のネットワークを介して接続される。また、通信端末６０と基地局装置＃Ａ４１との間、及び通信端末６０と基地局装置＃Ｂ５１との間は、それぞれ無線通信により情報の交換が行われる。
【００２６】
図１に戻り、通信システム１に含まれ本発明の特徴をなす測位支援装置である測位システム１０に含まれるＳＵＰＬサーバ２０及び位置情報管理装置３０について詳細に説明する。ＳＵＰＬサーバ２０は、通信部（位置情報提供要求受信手段、端末情報送信手段、位置情報提供手段）２１と、制御部（端末情報送信手段）２２とを含んで構成される。また、位置情報管理装置３０は、通信部（端末情報受信手段、位置情報送信手段、位置情報取得手段）３１と、制御部（位置情報取得手段）３２と、管理ＤＢ（在圏情報格納手段）３３とを含んで構成される。
【００２７】
ＳＵＰＬサーバ２０の通信部２１は、通信端末６０から送信される位置情報提供要求に基づいて、移動体通信網Ｎ２から通信端末６０が在圏する通信エリアの概位置情報を取得する位置情報提供要求手段としての機能を有する。ここで、通信端末６０から送信される位置情報提供要求には、通信端末６０がＬＴＥ網に接続している場合にＬＴＥ網に接続していることを示す情報として、通信端末６０が在圏するセルＣ１において通信端末６０が直接的に接続する基地局装置（ｅＮｏｄｅＢ）のＩＤ番号が含まれる。一方、通信端末６０が３Ｇ網に接続している場合には、基地局装置を特定する情報は含まれない。また位置情報提供要求には、通信端末６０を特定する情報が含まれる。
【００２８】
また、通信部２１は、位置情報管理装置３０から送信される通信端末６０の概位置情報を含むアシストデータを通信端末６０に対して送信する位置情報送信手段として機能する。また、位置情報管理装置３０との間で情報を送受信する機能をさらに有する。通信部２１により受信された情報は、制御部２２へ送られる。
【００２９】
制御部２２は、通信端末６０から送信される位置情報提供要求に基づいて、位置情報管理装置３０に対して端末情報を送信することで、通信端末６０の概位置情報の提供を要求する機能を有する。より具体的には、位置情報提供要求にＬＴＥ通信網を特定する情報が含まれるか判断し、ＬＴＥ通信網を特定する情報が含まれる場合には、ＬＴＥ通信網を特定する情報と通信端末６０を特定する情報とを含む情報を端末情報として前記位置情報管理装置３０へ送信し、ＬＴＥ通信網を特定する情報が含まれない場合には、通信端末６０を特定する情報を端末情報として位置情報管理装置３０へ送信する。ＬＴＥ通信網を特定する情報としては、通信端末６０が在圏するセルＣ１において通信端末６０が直接的に接続する基地局装置（ｅＮｏｄｅＢ）のＩＤ番号、基地局装置（ｅＮｏｄｅＢ）を収容して制御等を行う装置であるＭＭＥ（Mobility Management Entity）のＩＤ番号等が用いられる。なお、ここで、ＬＴＥ通信網を特定する情報として上記の情報が使われる場合に代えて、ＬＴＥ通信網に在圏するか否かを示すフラグのみを付与するという方法を採用してもよい。
【００３０】
図１に戻り、測位システム１０に含まれる位置情報管理装置３０について説明する。位置情報管理装置３０の通信部３１は、外部装置との通信行う機能を備え、具体的には、通信端末６０の端末情報をＳＵＰＬサーバ２０から受信する端末情報受信手段としての機能、端末情報に基づいて通信端末６０が接続する通信エリアの位置情報を取得する位置情報取得手段としての機能の一部、そして、通信端末６０が接続する通信エリアの位置情報をＳＵＰＬサーバ２０に対して送信する位置情報送信手段としての機能を有する。通信部３１により取得された端末情報は、制御部３２に送られる。
【００３１】
制御部３２は、端末情報に基づいて通信端末６０が接続する通信エリアの位置情報を取得する位置情報取得手段としての機能の一部を担う。具体的には、ＳＵＰＬサーバ２０から送信されて通信部３１により受信された端末情報に、ＬＴＥ通信網を特定する情報が含まれるか否かを判断し、ＬＴＥ通信網を特定する情報が含まれている場合には、管理ＤＢ３３を参照して、ＬＴＥ通信網において通信端末６０が接続する通信エリアを特定する情報を取得し、ＬＴＥ通信網を特定する情報が端末情報に含まれていない場合には、管理ＤＢ３３を参照しＬＴＥ通信網において通信端末６０が接続する通信エリアを特定する情報を取得する。このように制御部３２は、ＳＵＰＬサーバ２０から送信される通信端末６０の端末情報に基づいて、通信端末６０がどちらの通信網を利用して通信を行っているかを判断する機能を有する。この結果は通信部３１に通知され、通信部３１が交換機に対してセルの位置情報を問い合わせる際に用いられる。
【００３２】
管理ＤＢ３３は、通信端末６０を特定する情報と、通信端末６０がＬＴＥ通信網及び３Ｇ通信網における通信端末６０の位置登録エリアを特定する情報、すなわち通信端末６０が接続する交換機を特定する情報と、を対応付けて格納する在圏情報格納手段として機能する。管理ＤＢ３３において格納される情報とは、具体的には図４に示すように、通信端末６０を特定する情報（図４では、通信端末の電話番号）と、その通信端末６０がＬＴＥ通信網において位置登録を行った交換機を特定する情報（＃Ａ０１、＃Ａ０２等）と、３Ｇ通信網において位置登録を行った交換機を特定する情報（＃Ｂ０１，＃Ｂ２等）と、が対応付けられたものである。この管理ＤＢ３３に格納される情報は、通信端末６０が各々の通信網に在圏して位置登録を行った場合に更新される。また、移動等により、各々の通信網において通信端末が利用する交換機が変更となった場合には、通信端末６０から位置情報管理装置３０に対して情報更新の要求がなされるので、この要求に基づいて、位置情報管理装置３０の管理ＤＢ３３に格納される情報が更新される。
【００３３】
交換機＃Ａ４０、交換機＃Ｂ５０は、それぞれＬＴＥ通信網、３Ｇ通信網における交換機として機能する。また、基地局装置＃Ａ４１、基地局装置＃Ｂ５１は、それぞれＬＴＥ通信網、３Ｇ通信網における基地局装置として機能する。本実施形態では、交換機＃Ａ４０及び交換機＃Ｂ５０は、位置情報管理装置３０より、通信端末６０の測位に係る位置情報の提供要求を受信すると、当該通信端末６０が自網に接続していることを確認した後、当該通信端末６０が接続する通信エリア（セル）の位置情報を位置情報管理装置３０に対して送信する機能を有する。そして、仮に通信端末６０が自網に接続していないことが確認された場合には、エラーメッセージを返信することにより、自網に通信端末６０が接続していないことを通知する。
【００３４】
本実施形態に係る通信システム１では、上記の各装置が機能することにより、より効率的な測位支援が実現される。その具体的な方法については、以下詳細に説明する。
【００３５】
＜測位システムによる測位方法（位置情報の提供方法）＞
次に、上記の測位システム１０を含む通信システム１による測位方法（位置情報の提供方法）について、図５〜図８に示すシーケンス図及びフローチャートを用いて説明する。なお、図５は、通信端末６０による位置登録に係る処理を説明するシーケンス図であり、図６は、通信端末６０に係る測位を行う場合の処理を説明するシーケンス図である。また、図７はＳＵＰＬサーバ２０での処理を説明するフローチャートであり、図８は位置情報管理装置３０での処理を説明するフローチャートである。
【００３６】
最初に、図５を用いて、通信端末６０の位置登録に係る処理を説明する。以下の処理は、主に制御を行うC-Planeプロトコルスタックにて行われる。まず通信端末６０が３Ｇ通信網へ在圏する場合（Ｓ０１）、通信端末６０から基地局装置（図示せず）を介して交換機＃Ｂ５０に対して位置登録要求が送信される（Ｓ０２）。このとき、位置登録要求を受信した交換機＃Ｂ５０は、通信端末６０の接続先に係る情報（在圏するセルを特定する情報）を更新する（Ｓ０３）と共に、この位置登録要求が交換機＃Ｂ５０から位置情報管理装置３０に対して送信される（Ｓ０４）。これにより、位置情報管理装置３０の管理ＤＢ３３に格納された情報が更新され、３Ｇ通信網にかかる位置登録が行われる（Ｓ０５）。
【００３７】
次に、通信端末６０がＬＴＥ通信網に在圏した場合（Ｓ１１）は、３Ｇ通信網における場合と同様の処理が行われる。具体的には、通信端末５から基地局装置（図示せず）を介して交換機＃Ａ４０に対して位置登録要求が送信される（Ｓ１２）。このとき、位置登録要求を受信した交換機＃Ａ４０は、通信端末６０の接続先に係る情報（在圏するセルを特定する情報）を更新する（Ｓ１３）と共に、この位置登録要求が交換機＃Ａ４０から位置情報管理装置３０に対して送信される（Ｓ１４）。これにより、位置情報管理装置３０の管理ＤＢ３３に格納された情報が更新され、ＬＴＥ通信網にかかる位置登録が行われる（Ｓ１５）。
【００３８】
次に、図６を用いて、通信端末６０への位置情報の提供に係る処理について説明する。以下の処理は、ユーザーデータを取り扱うU-Planeプロトコルスタックにて行われる。
【００３９】
まず、通信端末６０とＳＵＰＬサーバ２０との間で測位に係る情報の送受信を行うための通信路として、ＴＬＳ（Transport Layer Security）トンネルを確立する処理が行われる（Ｓ３１）。これは、通信端末６０においてＧＰＳ測位を行う場合、通信端末６０と、通信端末６０に対してＧＰＳ測位のためのアシストデータを送信するＳＵＰＬサーバ２０との間で、設けられるものであり、具体的には、ＴＣＰ（Transmission Control Protocol）コネクションを確立した後にこのＴＬＳトンネルを確立する。
【００４０】
次に、このＴＬＳトンネルを用いて、通信端末６０から交換機＃Ａ４０を介してＳＵＰＬサーバ２０に対して位置情報提供要求（ULP_SUPL-START）が送信されて、ＳＵＰＬサーバ２０において受信される（Ｓ３２，Ｓ３３、位置情報提供要求受信ステップ）。ここで通信端末６０からＳＵＰＬサーバ２０に対して送信される位置情報提供要求には、セッションＩＤ（一度のＧＰＳ測位に係る処理について共通して割り振られる識別子）と、通信端末６０を特定する情報と、が含まれる。さらに、通信端末６０がＬＴＥ通信網に接続している場合には、ＬＴＥ通信網を特定する情報（例えば、ＬＴＥ通信網において通信端末６０が接続する基地局を特定する情報）が含まれる。
【００４１】
ＳＵＰＬサーバ２０では、位置情報提供要求を通信部２１が受信すると、制御部２２へ送られ、制御部２２において、通信端末６０の接続先が３Ｇ通信網であるかＬＴＥ通信網であるかの判断が行われ（Ｓ３４）、その結果に基づいた端末情報がＳＵＰＬサーバ２０から位置情報管理装置３０へ送信される（Ｓ３５）。この具体的な判断手法について、図７を用いて説明する。
【００４２】
図７に示すように、ＳＵＰＬサーバ２０の制御部２２では、まず、位置情報提供要求を受信する（Ｓ１０１／Ｓ３３）と、「ＬＴＥ通信網に係る情報が付加されているか」を判断する（Ｓ１０２）。通信端末６０がＬＴＥ通信網に接続している場合には、位置情報提供要求にＬＴＥ通信網を特定する情報が付加されているので、通信端末６０がＬＴＥ通信網に在圏していると判断し、この結果を「在圏情報＝ＬＴＥ」と設定する（Ｓ１０３）。また、位置情報提供要求にＬＴＥ通信網を特定する情報が付加されていない場合には、通信端末６０が３Ｇ通信網に在圏していると判断し、この結果を「在圏情報＝３Ｇ」と設定する（Ｓ１０４）。その後、通信端末６０を特定する情報に対して在圏情報を設定し（Ｓ１０５）、端末情報を位置情報管理装置３０に対して送信する（Ｓ１０６／Ｓ３５）。なお、通信端末６０を特定する情報に対しての在圏情報の設定とは、例えば互いに異なるフラグを付与する等の方法を用いることもできる。
【００４３】
次に、図６に戻り、ＳＵＰＬサーバ２０の通信部２１から送信（Ｓ３５）された端末情報は、位置情報管理装置３０の通信部３１にて受信され、制御部３２において接続先の判断が行われる（Ｓ３６）。この具体的な判断手法について、図８を用いて説明する。
【００４４】
図８に示すように、位置情報管理装置３０の通信部３１において端末情報を受信する（Ｓ２０１）と、制御部３２において端末情報に含まれる通信端末６０を特定する情報に基づいて、管理ＤＢ３３から、接続先情報の取得が行われる（Ｓ２０２）。ここで、制御部３２では、通信端末６０に対応付けて格納されている接続先の情報が複数ある（例えば３Ｇ通信網に係る情報とＬＴＥ通信網に係る情報との双方が格納されている）場合には、その両方が制御部３２により取得される。
【００４５】
次に制御部３２において、端末情報に含まれる在圏情報を参照し、在圏情報としてＬＴＥ通信網が設定されているかを確認する（Ｓ２０３）。ここで、在圏情報としてＬＴＥ通信網が設定されている場合には、制御部３２は、管理ＤＢ３２から取得した通信端末６０の接続先情報のうち、ＬＴＥ通信網における接続先の情報に基づいて、ＬＴＥ通信網の交換機（本実施形態では交換機＃Ａ４０）に対して基地局測位（基地局情報の提供）を要求する（Ｓ２０４）。また、在圏情報として３Ｇ通信網が設定されている場合には、制御部３２は、管理ＤＢ３２から取得した通信端末６０の接続先情報のうち、３Ｇ通信網における接続先の情報に基づいて、３Ｇ通信網の交換機（本実施形態では交換機＃Ｂ５０）に対して基地局測位（基地局情報の提供）を要求する（Ｓ２０５）。
【００４６】
この結果、位置情報管理装置３０の通信部３１がＬＴＥ通信網又は３Ｇ通信網の交換機と通信を行うことで、基地局情報が取得され（Ｓ２０６）、この基地局情報が、位置情報管理装置３０の通信部３１からＳＵＰＬサーバ２０に対して送信される（Ｓ２０７）。
【００４７】
図６に戻り、位置情報管理装置３０において接続先判断（Ｓ３６）を行った結果、在圏情報がＬＴＥ通信網であった場合に関して他装置における処理も含めて説明する。接続先判断（Ｓ３６）の結果、通信端末６０がＬＴＥ通信網に接続していると判断された場合、交換機＃Ａ４０に対して基地局情報の提供要求(ELP_PROVIDE SUBSCRIBER LOCATION REQUEST)がなされる（Ｓ３７）。その結果、交換機＃Ａ４０では、基地局情報提供要求に含まれる通信端末６０の情報に基づいて、実際に通信端末６０が接続しているかの在圏確認が行われる（Ｓ３８）。具体的には、ＬＴＥ通信網における基地局装置の位置情報を管理しているサーバ（図示せず）との通信（LCS-AP LOCATION REQUEST / LCS-AP Connection Oriented InformationTransfer）に基づいて交換機＃Ａ４０から基地局装置に対して問い合わせ（S1AP_DOWNLINK UEASSOCIATED LPPA TRANSPORT）が送信され、これに対して基地局装置から返信（S1AP_UPLINKUE ASSOCIATED LPPA TRANSPORT）があることで確認が行われる。
【００４８】
ここで、通信端末６０がＬＴＥ通信網に在圏していることが確認できた場合には、当該通信端末６０が接続する通信エリア（セル）の基地局装置の位置を示す情報（基地局情報）が取得され（LCS-AP Connection Oriented Information Transfer / LCS-AP LOCATIONRESPONSE）、当該通信端末６０が存在する大まかな位置（概位置）を示す情報として、位置情報管理装置３０に対して送信する（Ｓ３９）。
【００４９】
位置情報管理装置３０の通信部３１では、交換機＃Ａ４０から、通信端末６０に係る基地局情報を受信すると、ＳＵＰＬサーバ２０へ送信し（Ｓ４０）、この基地局情報に基づくアシストデータを含む測位開始指示（ULP_SUPL-RESPONSE）がＳＵＰＬサーバ２０の通信部２１から通信端末６０へ送信される（Ｓ４１）。この結果、通信端末６０においてこのアシストデータを用いたＧＰＳ測位が行われる。以上により、通信端末６０に係る測位情報の提供に係る処理が終了する。
【００５０】
なお、位置情報管理装置３０において接続先判断（Ｓ３６）を行った結果、在圏情報が３Ｇ通信網と設定されていた場合には、３Ｇ通信網の交換機＃Ｂ５０との間で上記（Ｓ３７〜４０）と同様の通信が行われ、その結果、通信端末６０に対して通信端末６０が在圏するセルの基地局情報に基づいたアシストデータが送信される（Ｓ４１）。
【００５１】
＜測位支援システム及び測位方法による効果＞
以上のように、上記実施形態に係る測位システム１０及びこの測位システム１０による測位方法によれば、ＳＵＰＬサーバ２０において、通信端末６０からの位置情報提供要求にＬＴＥ通信網を特定する情報が含まれているかに基づいて、通信端末６０がＬＴＥ通信網に接続しているか否かが判断される。そしてその結果がＳＵＰＬサーバ２０から位置情報管理装置３０に対して送信され、位置情報管理装置３０においては、ＳＵＰＬサーバ２０から通知された通信端末６０の接続先を示す情報に基づいて、通信端末６０が接続する通信網がＬＴＥ通信網であるか３Ｇ通信網であるかが判断され、その結果に基づいて、接続していると判断された通信網に対して基地局情報の提供が要求される。
【００５２】
ここで従来例について説明すると、従来は、位置情報管理装置３０において、３Ｇ通信網及びＬＴＥ通信網の２つの通信網に対して接続可能な通信端末６０に係る位置情報の提供要求を受信した場合には、位置情報管理装置３０では、通信端末６０がどちらの通信網に接続して通信を行っているのかを判断できなかったため、予め定められた側の通信網（例えば３Ｇ通信網）に対して一律に優先して問い合わせるという処理を行っていた。
【００５３】
これは、従来の単一通信網（３Ｇ通信網）において接続可能な通信端末におけるＳＵＰＬ測位の標準規定において、在圏情報を利用しないという手法が一般的であったことに由来する。
【００５４】
従来のＳＵＰＬに関する標準規定（OMA-AD-SUPL-V1.0 6.4 SUPL Reference Architecture）及び３Ｇ通信における標準仕様（3GPP TS23.271 9.1.1 Mobile Terminating Location Request）によれば、３Ｇ通信網における通信端末によるＧＰＳ測位において、通信端末が在圏する基地局の位置情報をアシストデータとして使用する場合、通信端末がどの基地局に在圏するかを特定する情報を通信端末側から取得する必要はなかった。これは、従来のアシストＧＰＳ測位では、位置情報の提供要求があった場合には、ＥＢＳＣＰ（本実施形態の位置管理情装置３０に相当する）がＨＳＳ／ＨＬＲ（本実施形態の管理ＤＢ３３に相当する）に対して問い合わせることにより、通信端末が在圏する通信エリアの基地局を特定することができたためである。したがって、従来の仕様によれば、通信端末６０からＳＵＰＬサーバ２０に対して送信するU-Planeによる位置情報提供要求に係る情報を利用し、ＳＵＰＬサーバ２０から位置情報管理装置３０に対して通信端末６０からの情報（接続先を特定する情報）を利用するという技術思想はなかった。
【００５５】
そして、単一通信網に接続する通信端末が２つの通信網（３Ｇ通信網及びＬＴＥ通信網）に対して接続可能な通信端末６０になった場合であっても、上記の標準規定及び標準仕様にしたがうのであれば、ＳＵＰＬサーバ２０から位置情報管理装置３０に対して、通信端末６０からのU-Planeにより通知した情報を送信することは考えられないことから、通信端末６０の在圏情報を仮に位置情報登録要求に含んで取得したとしても利用するという技術思想はなかった。
【００５６】
これに対して本実施形態の測位支援システム及びこの測位システムによる測位方法によれば、U-Planeにおいて通信端末６０から通知される通信端末６０の接続先を特定する情報から、通信端末６０がどちらの通信網に接続しているかを判断し、その情報をＳＵＰＬサーバ２０から位置情報管理装置３０に対して通知している。この結果、位置情報管理装置３０において、通信端末６０が接続していない通信網に対して、通信端末６０の測位に利用するための位置情報の提供を要求することが抑制され、複数の通信網を利用可能な通信端末に係る測位支援をより効率的に行うことが可能となった。
【００５７】
以上、本発明の好適な実施形態について説明したが、本発明に係る測位システム１０を含む通信システム１は種々の変更を行うことができる。
【００５８】
例えば、測位システム１０に含まれる各装置に係る機能は、一台の装置に全て含まれる構成であってもよいし、各機能がそれぞれ異なる装置に分散される構成であってもよい。
【００５９】
また、上記実施形態では、通信端末６０が接続可能な通信網が２種類（３Ｇ通信網及びＬＴＥ通信網）である構成について説明したが、この接続可能な通信網が３つ以上であってもよい。この場合、管理ＤＢ３３に格納される情報の種類を増やすと共に、通信端末６０が接続する通信網を特定する情報の種類を増やすことで、ＳＵＰＬサーバ２０及び位置情報管理装置３０において上記実施形態と同様の判断を行うことができる。
【００６０】
また、上記実施形態では、位置情報管理装置３０において、図８に示すように、端末情報を受信すると、管理ＤＢ３３から３Ｇ通信網及びＬＴＥ通信網の双方の接続先情報を取得した後、端末情報に含まれる在圏情報を参照し、基地局測位要求を行う送信先を決定しているが、この順序は入れ替えても良い。すなわち、端末情報に含まれる在圏情報に基づいて、管理ＤＢ３３から一方の通信網のみの接続先情報を取得する態様とすることもできる。
【００６１】
また、上記実施形態では、ＳＵＰＬサーバを用いたアシストＧＰＳ方式に対して適用した場合について説明したが、上記測位システム及び測位方法は、セルベース測位方式にも使用することができ、さらにこのセルベース測位の結果得られた位置情報を利用したコンテンツの提供に対しても適用することができる。具体的には、通信端末のユーザの承諾の上で、コンテンツを作成する者（ＬＣＳクライアント／コンテンツ作成装置）から通信網における位置情報を制御する位置情報管理装置に対して、通信端末の位置情報の提供を要求する測位要求を送信することで、位置情報管理装置において通信端末の位置情報が取得され、これが測位結果としてコンテンツ作成装置に対して送信される。このとき、通信端末のユーザが位置情報の提供を承諾する際に、通信端末からコンテンツ作成装置に対して送信された接続先の通信網を特定する情報を、コンテンツ作成装置から位置情報管理装置に対して送信することで、通信端末が接続する通信網を特定する情報が位置情報管理装置へ送信され、位置情報管理装置においてこの情報を利用することで測位支援をより効率的に行うことが可能となる。このように、本実施形態は、ＳＵＰＬに限らず、基地局の位置情報の提供が必要な種々の技術に適用することができる。
【符号の説明】
【００６２】
１…測位システム、１０…測位システム、２０…ＳＵＰＬサーバ、３０…位置情報管理装置、４０…交換機＃Ａ、４１…基地局装置＃Ａ、５０…交換機＃Ｂ、５１…基地局装置＃Ｂ、６０…通信端末、Ｃ１，Ｃ２…セル。
【図１】
0005130382.tif 000002
【図２】
0005130382.tif 000003
【図３】
0005130382.tif 000004
【図４】
0005130382.tif 000005
【図５】
0005130382.tif 000006
【図６】
0005130382.tif 000007
【図７】
0005130382.tif 000008
【図８】
0005130382.tif 000009